(57)【要約】【課題】出力電圧の分解能を向上させることができる回路基板及び回転式電子部品を提供する。【解決手段】複数の抵抗体パターンＲ１〜Ｒ７，Ｒ１´〜Ｒ７´間にタップパターンＴ１〜Ｔ７，Ｔ１〜Ｔ７を設けることでこれら複数の抵抗体パターンＲ１〜Ｒ７，Ｒ１´〜Ｒ７´を直列に接続してなる摺動子摺接用の一対の抵抗体パターン群１０−１，１０−２を、基板上の左右対称の位置に同心円状（抵抗体パターンＲ１，Ｒ１´を除く）に設置する。抵抗体パターン群１０−１，１０−２に摺接する摺動子３０の出力用導電パターン４０−１，４０−２にプルアップ回路５０−１，５０−２を接続する。一対の抵抗体パターン群１０−１，１０−２の対向する一端部（電源電圧Ｖｄｄ側）の抵抗体パターンＲ１，Ｒ１´を同心円から離れた別の位置に設ける。【選択図】図１
2007158245.tif 000002
【特許請求の範囲】
【請求項１】
複数の抵抗体パターン間にタップパターンを設けることでこれら複数の抵抗体パターンを直列に接続してなる摺動子摺接用の抵抗体パターン群を一対、基板上の左右対称の位置に同心円状に設置したことを特徴とする回路基板。
【請求項２】
前記抵抗体パターン群に摺接する摺動子の出力側の回路にプルアップ回路又はプルダウン回路を接続したことを特徴とする請求項１に記載の回路基板。
【請求項３】
前記一対の抵抗体パターン群の対向する一端部の抵抗体パターンを前記同心円から離れた別の位置に設けたことを特徴とする請求項２に記載の回路基板。
【請求項４】
前記抵抗体パターン群に摺接する摺動子の出力側の回路として、前記一対の抵抗体パターン群の外周側または内周側に沿う摺動子摺接用の一対の出力用導電パターンを設けたことを特徴とする請求項１又は２又は３に記載の回路基板。
【請求項５】
請求項１乃至４の内の何れかに記載の回路基板と、この回路基板に設けた抵抗体パターン群上を摺動する摺動子と、を具備することを特徴とする回転式電子部品。
【発明の詳細な説明】
【技術分野】
【０００１】
本発明は、摺動子の摺接位置を検出するのに用いて好適な抵抗体パターン群を有する回路基板及びこの回路基板を用いて構成される回転式電子部品に関するものである。
【背景技術】
【０００２】
従来、例えば携帯機器の各種機能を選択する操作機構として、所定角度毎にクリック感覚を生じながら回転する操作つまみを取り付け、この操作つまみの回転位置に応じて携帯機器の有する機能を切り替える構成のものがある。
【０００３】
そしてこの種の操作機構として、回転式可変抵抗器を用いる場合があり、その場合は、前記操作つまみによって回転式可変抵抗器の抵抗値を変化させ、その抵抗値の値（実際には出力として得られる電圧値）によって操作つまみの回転位置を検出するように構成する。
【０００４】
図５はこの種の従来の回転位置（回転角度）を検出する回転式可変抵抗器の概略回路構成図である。同図に示すようにこの回転式可変抵抗器は、複数（７つ）の抵抗体パターンＲ１〜Ｒ７のそれぞれの間及びその両端に抵抗値の低い導体パターンからなるタップパターンＴ１〜Ｔ８を設けることでこれら複数の抵抗体パターンＲ１〜Ｒ７を直列に接続してなる摺動子摺接用の抵抗体パターン群１００を半円弧状に基板上に形成し、この抵抗体パターン群１００上を摺接する摺動子１２０の摺接位置に応じてこの回転式可変抵抗器の出力（出力電圧Ｖｏｕｔ）を変化するように構成している。
【０００５】
即ちこの回転式可変抵抗器の場合、抵抗体パターン群１００の一端に電源電圧Ｖｄｄ（例えば３Ｖ）を印加し、他端をアースし、抵抗体パターン群１００に摺接している摺動子１２０からの出力を出力電圧Ｖｏｕｔとして取り出す。そして各抵抗体パターンＲ１〜Ｒ７を同一抵抗値Ｒとすると、各タップパターンＴ１〜Ｔ８における電圧値Ｖ１〜Ｖ８は、Ｖｎ（ｎ＝１〜８）＝〔（８−ｎ）・Ｖｃｃ〕／７となる。つまり摺動子１２０が摺接するタップパターンＴ１〜Ｔ８が１つ変化する毎に、出力電圧Ｖｏｕｔが、Ｖｃｃ／７ずつ変化することとなり、この出力電圧Ｖｏｕｔの値によって摺動子１２０の位置、つまりは摺動子１２０と一体に回転する操作つまみの回転位置が検出される。従って操作つまみによって選択しようとする機能の数に応じて抵抗体パターンＲの本数を増減すれば、全ての機能に対応した出力が得られることとなる。
【０００６】
しかしながら選択したい機能が増えすぎると、上記構成の抵抗体パターン群１００ではその分解能に限界が生じる。即ち例えば図６に示すようにタップパターンＴの数を増やして１４個にすると、タップパターンＴ１〜Ｔ１４が１つ変化する毎に変化する出力電圧ＶｏｕｔはＶｄｄ／１３となり、Ｖｄｄが３Ｖ程度の場合は変化する電圧値の幅が小さくなりすぎ、正確な検出ができなくなる。
【発明の開示】
【発明が解決しようとする課題】
【０００７】
本発明は上述の点に鑑みてなされたものでありその目的は、出力電圧の分解能を向上させることができる回路基板及び回転式電子部品を提供することにある。
【課題を解決するための手段】
【０００８】
本願請求項１に記載の発明は、複数の抵抗体パターン間にタップパターンを設けることでこれら複数の抵抗体パターンを直列に接続してなる摺動子摺接用の抵抗体パターン群を一対、基板上の左右対称の位置に同心円状に設置したことを特徴とする回路基板にある。
【０００９】
本願請求項２に記載の発明は、前記抵抗体パターン群に摺接する摺動子の出力側の回路にプルアップ回路又はプルダウン回路を接続したことを特徴とする請求項１に記載の回路基板にある。
【００１０】
本願請求項３に記載の発明は、前記一対の抵抗体パターン群の対向する一端部の抵抗体パターンを前記同心円から離れた別の位置に設けたことを特徴とする請求項２に記載の回路基板にある。
【００１１】
本願請求項４に記載の発明は、前記抵抗体パターン群に摺接する摺動子の出力側の回路として、前記一対の抵抗体パターン群の外周側または内周側に沿う摺動子摺接用の一対の出力用導電パターンを設けたことを特徴とする請求項１又は２又は３に記載の回路基板にある。
【００１２】
本願請求項５に記載の発明は、請求項１乃至４の内の何れかに記載の回路基板と、この回路基板に設けた抵抗体パターン群上を摺動する摺動子と、を具備することを特徴とする回転式電子部品にある。
【発明の効果】
【００１３】
請求項１に記載の発明によれば、抵抗体パターン群を一対（２回路）設置したので、出力電圧の分解能を約二倍に向上させることができる。
【００１４】
請求項２に記載の発明によれば、一対設けた抵抗体パターン群の内の摺動子が摺接していない抵抗体パターン群側の出力電圧を安定化させることができる。
【００１５】
請求項３に記載の発明によれば、プルアップ回路やプルダウン回路を接続することで機能として割り振れなくなった一端部の抵抗体パターンを同心円の外、即ち摺動子の摺動軌跡外に移動でき、これによって機能として割り振れる各タップパターンを同心円、即ち摺動子の摺動軌跡上に略等間隔に設置できるようになる。
【００１６】
請求項４に記載の発明によれば、摺動子の出力側の回路を容易且つコンパクトに基板上に設置できる。
【００１７】
請求項５に記載の発明によれば、前記回路基板を用いた回転式電子部品を構成することができる。
【発明を実施するための最良の形態】
【００１８】
以下、本発明の実施形態を図面に基づいて詳細に説明する。
図１は本発明の１実施形態に係る回路基板を用いた回転式電子部品（回転式可変抵抗器、但し使用方法は抵抗値の変化を利用した回転式スイッチ）の概略回路構成図である。同図に示すようにこの回路基板は、複数（この実施形態では７本）の抵抗体パターンＲ１〜Ｒ７のそれぞれの間と一方の抵抗体パターンＲ７の一端部とにタップパターンＴ１〜Ｔ７を設けることでこれら複数の抵抗体パターンＲ１〜Ｒ７を直列に接続してなる摺動子摺接用の全体として円弧状（抵抗体パターンＲ１は除く）の第１の抵抗体パターン群１０−１と、同様に複数（この実施形態では７本）の抵抗体パターンＲ１´〜Ｒ７´のそれぞれの間と一方の抵抗体パターンＲ７´の端部とにタップパターンＴ１´〜Ｔ７´を設けることでこれら複数の抵抗体パターンＲ１´〜Ｒ７´を直列に接続してなる摺動子摺接用の全体として円弧状（抵抗体パターンＲ１´は除く）の第２の抵抗体パターン群１０−２とを一対、基板上の左右対称の位置に同心円状（抵抗体パターンＲ１，Ｒ１´は除く）に設置して構成されている。
【００１９】
ここで一対の第１，第２の抵抗体パターン群１０−１，１０−２は、左右対称の形状で同一構造である。即ち各抵抗体パターンＲ１〜Ｒ７，Ｒ１´〜Ｒ７´の長さ及び抵抗値は同一である。タップパターンＴ１〜Ｔ７，Ｔ１´〜Ｔ７´は抵抗値の小さい導体パターンによって構成されている。なお図示の都合上、この図では、抵抗体パターンＲ２〜Ｒ７，Ｒ２´〜Ｒ７´とタップパターンＴ１〜Ｔ７，Ｔ１´〜Ｔ７´とが別の円周上にあるように記載しているが、下記する図２で説明するように実際は抵抗体パターンＲ２〜Ｒ７，Ｒ２´〜Ｒ７´とタップパターンＴ１〜Ｔ７，Ｔ１´〜Ｔ７´は同一円周上に形成されており、何れも一つの摺動子３０が回転して摺動する摺動軌跡上に位置している。即ち一対の第１，第２の抵抗体パターン群１０−１，１０−２は、摺動子摺接用のパターンによって構成されている。さらにこの実施形態の場合、一対の第１，第２の抵抗体パターン群１０−１，１０−２の対向する一端部（電源電圧Ｖｄｄ側）の抵抗体パターンＲ１，Ｒ１´を前記摺動子３０が摺接する同心円から離れた別の位置に設けている。そして一対の第１，第２の抵抗体パターン群１０−１，１０−２のそれぞれ一端側（抵抗Ｒ１，Ｒ１´側）に電源電圧（入力電圧）Ｖｄｄを接続し、他端側（抵抗Ｒ７，Ｒ７´側）をアースしている。
【００２０】
一方摺動子３０には第１，第２の抵抗体パターン群１０−１，１０−２に対応する一対の第１，第２の出力用導電パターン４０−１，４０−２が電気的に接続されている。これら第１，第２の出力用導電パターン４０−１，４０−２は第１，第２の抵抗体パターン群１０−１，１０−２を形成したのと同じ基板上に設けられている。これら第１，第２の出力用導電パターン４０−１，４０−２に摺動子３０によって出力電圧Ｖｏｕｔ１，Ｖｏｕｔ２が取り出される。また第１，第２の出力用導電パターン４０−１，４０−２の途中には、それぞれプルアップ抵抗Ｒｐ，Ｒｐ´（Ｒｐ＝Ｒｐ´）を介して電源電圧Ｖｄｄを印加するプルアップ回路５０−１，５０−２が接続されている。
【００２１】
そして例えば同図に実線で示すように摺動子３０が第１の抵抗体パターン群１０−１側に摺接しているときは、電源電圧Ｖｄｄが各抵抗体パターンＲ１〜Ｒ７によって分圧された出力電圧Ｖｏｕｔ１が第１の出力用導電パターン４０−１から出力され、一方同図に点線で示すように摺動子３０が第２の抵抗体パターン群１０−２側に摺接しているときは、電源電圧Ｖｄｄが各抵抗体パターンＲ１´〜Ｒ７´によって分圧された出力電圧Ｖｏｕｔ２が第２の出力用導電パターン４０−２から出力される。従って摺動子３０が第１の抵抗体パターン群１０−１の各タップパターンＴ１〜Ｔ７に当接することで、第１の出力用導電パターン４０−１から出力される出力電圧Ｖｏｕｔ１が７段階に変化し、一方摺動子３０が第２の抵抗体パターン群１０−２の各タップパターンＴ１´〜Ｔ７´に当接することで、第２の出力用導電パターン４０−２から出力される出力電圧Ｖｏｕｔ２が７段階に変化し、全体として１４段階の異なる出力が得られる。なお第１の出力用導電パターン４０−１から出力される出力電圧Ｖｏｕｔ１と第２の出力用導電パターン４０−２から出力される出力電圧Ｖｏｕｔ２とが同一の電圧であっても、出力される出力用導電パターン４０−１，２が異なるので異なる出力として検出できる。
【００２２】
さらに具体的に説明すると、各タップパターンＴ１〜Ｔ７に摺動子３０が当接しているときの電圧値Ｖｏｕｔ１（Ｔｎ；ｎ＝１〜７）は、Ｖｏｕｔ１（Ｔｎ）＝〔（７−ｎ）・Ｖｃｃ〕／７となる。同様に各タップパターンＴ１´〜Ｔ７´に摺動子３０が当接しているときの電圧値Ｖｏｕｔ２（Ｔｎ；ｎ＝１〜７）は、Ｖｏｕｔ２（Ｔｎ）＝〔（７−ｎ）・Ｖｃｃ〕／７となる。つまり摺動子３０が摺接するタップパターンＴ１〜Ｔ７が１つ変化する毎に、出力電圧Ｖｏｕｔ１は、Ｖｃｃ／７ずつ７段階変化することとなり、同様に摺動子３０が摺接するタップパターンＴ１´〜Ｔ７´が１つ変化する毎に、出力電圧Ｖｏｕｔ２は、Ｖｃｃ／７ずつ７段階変化することとなり、両者併せて摺動子３０が一回転する間に、摺動子３０の回動位置に応じて１４種類の出力の変化が検出できる。しかもこのとき電源電圧Ｖｄｄの電圧値を１４等分するのではなく、７等分するだけで良いので、高い分解能が得られる。即ちこれら出力電圧Ｖｏｕｔ１，Ｖｏｕｔ２の値によって摺動子３０の位置、つまりは摺動子３０と一体に回転する操作つまみの回転位置が１４ヶ所で検出されることとなる。従って１つの操作つまみによって１４の機能の選択が可能となる。
【００２３】
なおこの実施形態において、プルアップ回路５０−１，５０−２を設けたのは以下の理由による。即ち摺動子３０が例えば一方の第１の抵抗体パターン群１０−１に摺接しているとき、他方の第２の抵抗体パターン群１０−２には摺動子３０は摺接せず、従ってもしプルアップ回路５０−２がないとすると、出力用導電パターン４０−２が開放されてしまい、このため出力電圧Ｖｏｕｔ２は一定に定まらず不安定になり、摺動子３０が摺接している位置の検出が正確に行われなくなる恐れがある。そこで両出力用導電パターン４０−１，４０−２にそれぞれプルアップ回路５０−１，５０−２を接続し、これによってこの例の場合は摺動子３０が摺接していない側の出力用導電パターン４０−２の出力電圧Ｖｏｕｔ２を常に電源電圧Ｖｄｄとすることとしたのである。つまり出力電圧がＶｄｄの出力用導電パターン４０−１又は４０−２は回路がオープンになっていることを意味している。
【００２４】
図２は図１に示す回路基板の具体的構成例を示す回路基板６０の概略平面図である。なお回転式電子部品はこの回路基板６０と摺動子３０とによって構成される。同図に示すように回路基板６０は、絶縁性の合成樹脂フイルム（例えばポリエチレンテレフタレートフイルム）製の基板６１上に、一対の円弧状の第１，第２の抵抗体パターン群１０−１，１０−２（両者の一端はつながっている）を同心円状に形成し、これら第１，第２の抵抗体パターン群１０−１，１０−２の外周側に、これら第１，第２の抵抗体パターン群１０−１，１０−２に沿うように、一対の円弧状の出力用導電パターン４０−１，４０−２を同心円状に形成している。ここで第１，第２の抵抗体パターン群１０−１，１０−２は、タップパターンＴ１〜Ｔ７，Ｔ１´〜Ｔ７´となる抵抗値の低いパターン（点線で示す）上を、全て覆うようにＣ字状に抵抗体からなるパターンを形成して構成されている。上記点線で示す抵抗値の低いパターンは例えば銀ペーストを印刷することによって形成されている。なおタップパターンＴ７とタップパターンＴ７´は一本のパターンで形成されている。一方上記Ｃ字状の抵抗体からなるパターンは所定の抵抗を有する例えばカーボンペーストを印刷することによって形成されている。これによって各タップパターンＴ１〜Ｔ７，Ｔ１´〜Ｔ７´の間の部分がそれぞれ抵抗体パターンＲ２〜Ｒ７，Ｒ２´〜Ｒ７´になる。一方出力用導電パターン４０−１，４０−２は、タップパターンＴ１〜Ｔ７，Ｔ１´〜Ｔ７´と同様、抵抗値の低い例えば銀ペーストからなるパターン（点線で示す）を出力用導電パターン４０−１，４０−２の形状に印刷し、その上を覆うように所定の抵抗を有する例えばカーボンペーストを印刷することによって形成されている。カーボンペーストを印刷するのは、タップパターンＴ１〜Ｔ７，Ｔ１´〜Ｔ７´でも同様であるが、摺動子３０の摺接による銀ペーストからなるパターンの摩耗防止とその硫化対策のためである。
【００２５】
タップパターンＴ７，Ｔ７´にはアースに接続される回路パターン６３が接続されている。回路パターン６３は両出力用導電パターン４０−１，４０−２の間の隙間を通過してその外側に導出されており、回路パターン６３上の摺動子３０が通過する両出力用導電パターン４０−１，４０−２の間の部分には絶縁塗料を塗布することによって絶縁層６５が形成されている。またタップパターンＴ１とタップパターンＴ１´からもそれぞれ回路パターン６７，６９が両出力用導電パターン４０−１，４０−２の間の隙間を通過してその外側に導出されており、その途中にそれぞれ抵抗体パターンＲ１，Ｒ１´を接続した後、電源電圧Ｖｄｄに接続されている。抵抗体パターンＲ１，Ｒ１´の抵抗値は他の抵抗体パターンＲ２〜Ｒ７，Ｒ２´〜Ｒ７´の抵抗値と略同一となっている。回路パターン６７，６９上の摺動子３０が通過する両出力用導電パターン４０−１，４０−２の間の部分にも絶縁塗料を塗布することで絶縁層７１が形成されている。なお基板６１の中央（第１，第２の抵抗体パターン群１０−１，１０−２の円弧の中心部分）には貫通する開口部７３が設けられている。開口部７３は摺動子３０を取り付けた図示しない回転型物の軸を挿入するためのものである。
【００２６】
そして摺動子３０が例えば第１の抵抗体パターン群１０−１と、これに隣接する出力用導電パターン４０−１に同時に摺接し、これによって摺動子３０が摺接している第１の抵抗体パターン群１０−１の部分の電圧をこれに隣接する出力用導電パターン４０−１に出力する（出力電圧Ｖｏｕｔ１）。摺動子３０が移動して摺接していた出力用導電パターン４０−１を離れるとその出力用導電パターン４０−１が開放され、その出力用導電パターン４０−１にはプルアップ回路５０−１によって電源電圧Ｖｄｄが印加される。そして摺動子３０が他方の出力用導電パターン４０−２に当接すると、当接した第２の抵抗体パターン群１０−２の部分の電圧が出力用導電パターン４０−２に出力され、当接位置に応じた出力電圧Ｖｏｕｔ２が得られる。
【００２７】
なおこの実施形態においては、一対の第１，第２の抵抗体パターン群１０−１，１０−２の外周側に沿うとともに、摺動子３０が摺接する一対の出力用導電パターン４０−１，４０−２を設けたが、出力用導電パターン４０−１，４０−２は一対の第１，第２の抵抗体パターン群１０−１，１０−２の内周側に沿うとともに、摺動子３０が摺接するように設けても良い。
【００２８】
なお回路基板６０の具体的製造方法は、例えば基板６１上に、まず銀ペーストによって点線で示すタップパターンＴ１〜Ｔ７，Ｔ１´〜Ｔ７´と、点線で示す出力用導電パターン４０−１，４０−２と、その他の回路パターン６３，６７，６９等を同一の印刷等の工程で形成し、次にカーボンペーストによって実線で示すタップパターンＴ１〜Ｔ７，Ｔ１´〜Ｔ７´上を覆うＣ字状のパターンと、出力用導電パターン４０−１，４０−２上をそれぞれ覆う円弧状のパターンとを同一の印刷等の工程で形成し、次に絶縁塗料によって両出力用導電パターン４０−１，４０−２の上下の隙間部分に絶縁層６５，７１を同一の印刷等の工程で形成することで行なわれる。なお、前記絶縁層６５，７１の形成工程と同じ工程で同時に回路パターン６３，６７，６９等の上に絶縁層を塗布して覆っても良い。
【００２９】
ところでこの実施形態において、一対の抵抗体パターン群１０−１，１０−２の対向する一端部（電源電圧Ｖｄｄ側）の抵抗体パターンＲ１，Ｒ１´を同心円から離れた別の位置に設けたのは以下の理由による。即ち、本発明においては、図３に示す実施形態（前記図１に示す実施形態と同一又は相当部分には同一符号を付す。なお以下で説明する事項以外の事項については、図１，図２に示す実施形態と同じである。）のように、前記抵抗体パターンＲ１，Ｒ１´についてもこれらを同心円中に入れることが可能である。このように構成すれば、タップパターンＴ８，Ｔ８´が１つずつ増加する。そして増加したタップパターンＴ８，Ｔ８´に摺動子３０が当接した際の出力電圧Ｖｏｕｔ１，Ｖｏｕｔ２は電源電圧と同じＶｄｄとなる。しかしながらこの電圧値Ｖｄｄは、出力用導電パターン４０−１，４０−２がオープンとなった際のプルアップ回路５０−１，５０−２による出力電圧Ｖｏｕｔ１，Ｖｏｕｔ２の値と同一になる。従って摺動子３０がタップパターンＴ８，Ｔ８´に当接しているのか、或いはこの回路がオープンになっているのかの判断ができない。このため摺動子３０の回転位置の検出に使用できないタップパターンＴ８，Ｔ８´が円周上に存在することとなり、その分他のタップパターンＴ１〜Ｔ７，Ｔ１´〜Ｔ７´を等間隔に設置できなくなるばかりか、設置間隔も狭くなってしまう。そこで図１に示す実施形態においては、抵抗体パターンＲ１，Ｒ１´を同心円から離れた別の位置に設けたのである。なおプルアップ回路５０−１，５０−２による出力電圧Ｖｏｕｔ１，Ｖｏｕｔ２の値を、タップパターンＴ８，Ｔ８´に摺動子３０が当接した際の出力電圧Ｖｏｕｔ１，Ｖｏｕｔ２の値と同一にしないように構成するのであれば、図３のように抵抗体パターンＲ１，Ｒ１´を同心円上に形成すればよい。
【００３０】
図４は本発明のさらに他の実施形態に係る回路基板を用いた回転式電子部品の概略回路構成図である。この実施形態においても、図１に示す実施形態と同一又は相当部分には同一符号を付す。なお以下で説明する事項以外の事項については、図１，図２に示す実施形態と同じである。この実施形態において図１に示す実施形態と相違する点は、出力用導電パターン４０−１，４０−２にプルアップ抵抗Ｒｐ，Ｒｐ´からなるプルアップ回路を接続する代りにプルダウン回路５５−１，５５−２（このとき抵抗Ｒｐ，Ｒｐ´（Ｒｐ＝Ｒｐ´）はプルダウン抵抗である）を接続し、一対の抵抗体パターン群１０−１，１０−２の対向する一端部（アース側）の抵抗体パターンである抵抗体パターンＲ７，Ｒ７´を同心円から離れた別の位置に設け、同時に抵抗体パターンＲ１，Ｒ１´を同心円上に設置してその端部にタップパターンＴ０，Ｔ０´を設けた点のみである。プルダウン抵抗Ｒｐ，Ｒｐ´からなるプルダウン回路５５−１，５５−２を用いれば、出力用導電パターン４０−１，４０−２がオープンになったときにその出力電圧Ｖｏｕｔ１，Ｖｏｕｔ２を常にアース電圧（０Ｖ）に維持できる。またプルダウン回路５５−１，５５−２を用いることで出力用導電パターン４０−１，４０−２がオープンになったときの出力電圧Ｖｏｕｔ１，Ｖｏｕｔ２が０Ｖになるので、０Ｖを出力する図１に示すタップパターンＴ７，Ｔ７，´は不要なので、抵抗体パターンＲ７，Ｒ７´を同心円から離れた別の位置に設けたのである。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では同心円上に設置するタップパターンＴ１〜Ｔ７，Ｔ１´〜Ｔ７´の間隔を略同一としたが、必要に応じてその間隔を異なるものとしても良い。プルアップ回路５０−１，５０−２やプルダウン回路５５−１，５５−２は場合によっては接続しなくても良い。また上記実施形態では基板６１としてフレキシブル基板を用いたが、硬質基板を用いても良い。
【図面の簡単な説明】
【００３２】
【図１】本発明の１実施形態に係る回路基板を用いた回転式電子部品の概略回路構成図である。
【図２】回路基板６０の概略平面図である。
【図３】本発明の他の実施形態に係る回路基板を用いた回転式電子部品の概略回路構成図である。
【図４】本発明のさらに他の実施形態に係る回路基板を用いた回転式電子部品の概略回路構成図である。
【図５】従来の回転位置を検出する回転式可変抵抗器の概略回路構成図である。
【図６】従来の回転位置を検出する他の回転式可変抵抗器の概略回路構成図である。
【符号の説明】
【００３３】
１０−１  第１の抵抗体パターン群
１０−２  第２の抵抗体パターン群
Ｒ１〜Ｒ７  抵抗体パターン
Ｔ１〜Ｔ７  タップパターン
Ｒ１´〜Ｒ７´  抵抗体パターン
Ｔ１´〜Ｔ７´  タップパターン
３０  摺動子
４０−１  第１の出力用導電パターン
４０−２  第２の出力用導電パターン
５０−１，５０−２  プルアップ回路
５５−１，５５−２  プルダウン回路
６０  回路基板
６１  基板
【図１】
2007158245.tif 000003
【図２】
2007158245.tif 000004
【図３】
2007158245.tif 000005
【図４】
2007158245.tif 000006
【図５】
2007158245.tif 000007
【図６】
2007158245.tif 000008